【事件の表示】
　特願２００２−２２１１２６「プラズマディスプレイ画像表示装置」拒絶査定不服審判事件〔平成１６年　２月２６日出願公開、特開２００４−　６１９２２〕について、次のとおり審決する。
【結　論】
　本件審判の請求は、成り立たない。
【理　由】
第１　手続の経緯
　本願は、平成１４年７月３０日の出願であって、平成１５年７月３０日及び平成１８年４月２７日に手続補正がなされ、平成１８年５月１７日付けで拒絶査定がなされ、これに対して、同年６月２２日に拒絶査定不服審判が請求されるとともに、同年７月２４日に手続補正がなされ、当審において、上記平成１８年７月２４日付け手続補正が平成２１年２月１７日付けで却下されるとともに同日付けで拒絶理由が通知され、同年４月７日に手続補正がなされたものである。
　
第２　本願発明
　本願の請求項１に係る発明（以下「本願発明」という。）は、平成２１年４月７日付け手続補正により補正された明細書及び図面の記載からみて、その特許請求の範囲の請求項１に記載された事項により特定されるとおりの次のものである。
「平板状の透光性を有する前面板と、
　前記前面板の側面から前記前面板内に光を入射するための発光部と、
　前記発光部から発せられる光を反射させて、前記光を前記前面板の他方の面から外部に出射するために、前記前面板の一方の面に形成される光反射部と、
　前記発光部が観察者から見えないようにするために、前記発光部を覆うための覆い部材と、
　前記発光部の前記光が前記光反射部へ向かうための指向性を発揮するための光指向性発揮部材と、
　前記発光部からの前記光が前記光反射部で反射した後に生じる、反射しなかった残りの光のもれを防止する光もれ防止部と、
　を有することを特徴とするプラズマディスプレイ画像表示装置。」
　
第３　刊行物の記載事項
　平成２１年２月１７日付けで通知された拒絶の理由に引用された本願の出願前に頒布された刊行物である特開平８−１２３３３５号公報（以下「引用例」という。）には、図とともに次の事項が記載されている。
　
１　「【請求項１】  マトリクス電極を有する表示装置であって、透明板上に構成された電極引き出し部と、前記電極引き出し部を通過する光を用いる光学手段とを備えた画像表示装置。
…（略）…
【請求項３】  光学手段は発光素子であることを特徴する請求項１記載の画像表示装置。」
　
２　「【０００１】
【産業上の利用分野】本発明は、画像表示装置、特にプラズマディスプレイのような薄型表示装置に関連し、装置の匡体の構成方法に適した手段を提供するものである。
【０００２】
【従来の技術】画像表示装置においては、例えばテレビジョン映像を表示する他に、チャンネル表示、電源状態を示すパイロットランプ、リモートコントロール装置の受光部など、種々の情報の入出力が必要とされることが多い。特に
電源オン状態を示すパイロットランプは必須とされる
【０００３】図５は、従来の画像表示装置のパイロットランプ、スイッチ等の設置方法を示したもので、画像表示画面外の領域に電源スイッチ５、ＬＥＤランプ５１〜５２、リモートコントロール受光部５３等の装置を組み込んでいる。
【０００４】
【発明が解決しようとする課題】しかしながら、このような従来の方法では、画像表示画面外の領域に斜線で示すように、パイロットランプ等の装置を組み込むためのスペースを設けているため、表示装置の上下方向の高さが図５のＬで示す分だけ余分に必要となり、コンパクトな匡体を設計するために障害となっていた。
【０００５】本発明は、上記課題を解決するもので、薄型表示装置の特徴を活かしたコンパクトな匡体設計を実現する手段を提供するものである。
【０００６】
【課題を解決するための手段】本発明の画像表示装置は、マトリクス電極を有する表示装置であって、透明板上に構成された電極引き出し部と、前記電極引き出し部を通過する光を用いる光学手段とを備えたものである。また本発明の請求項４によると、本発明はマトリクス電極を有する表示装置であって、平板上に構成された引き出し電極の一部のピッチを変化させて形成し、前記ピッチを変化させた部分にセンサー電極を備えたことを特徴とするものである。
【０００７】
【作用】本発明の第１の発明においては、透明板上に構成された電極引き出し部と、前記電極引き出し部を通過する光を用いる光学手段とを備えているため、たとえば電源オン状態表示パイロットランプ等は、前記した光学手段により電極引き出し部を光が通過させる形で構成できる。このため画像表示パネル本体の構造上必要となる電極引き出し部をパイロットランプ設置のために必要なスペースとして有効利用できるものである。画面の下部にパイロットランプを別途設置するためのスペースを設ける必要がなくなり、コンパクトな匡体を設計できる手段を提供するものである。」（下線は審決で付した。以下同じ。）
　
３　「【００１０】
【実施例】以下、本発明の実施例について、以下図面を参照しながら説明する。
【００１１】（実施例１）図１は本発明の第１の実施例における画像表示装置の構成例を示すもので、例えば
プラズマディスプレイ
２枚のガラスから成る表示パネルを用いた
２枚のパネルである前面パネル１と後面パネル２は張り合わされ、表示パネルを構成する
【００１２】パイロットランプとしてのＬＥＤランプ３は前面パネルの電極引き出し部６の引き出し電極Ｘ1〜ＸNの間隙から光を放つことができ、もともと前面パネル１に設けられている電極引き出し部６のスペースを有効利用できるので、画面の下部にパイロットランプを別途設置するためのスペースを設ける必要がなくなり、コンパクトな匡体を設計でき、薄型ディスプレイ装置としてのメリットを活かすことができる。
【００１３】また、後面パネル２においてＬＥＤランプが同じように備えられていても、前面パネル１と同様な効果を生じる。
【００１４】（実施例２）次に本発明の第２の実施例における画像表示装置について説明する。図３は本発明の第２の実施例の画像表示装置の前面から見た図である。図３において図１と同じものには同一符号を付してある。図１の場合と異なる部分についてのみ説明する。
【００１５】図３において３１はパイロットランプ、３２は情報表示用ＬＥＤランプ、４はリモートコントロール用受光素子である。Ｓ１〜ＳNはタッチセンサー用電極である。引き出し電極Ｘ1〜ＸNにおいて、隣り合う引き出し電極間の距離を変化させている箇所、すなわち前面パネルと後面パネルの重なり部分から、引き出し電極間のピッチを絞って引き出し電極をパネル外辺まで導いている箇所を設けることにより、前面パネルの電極引き出し部６にはパイロットランプ３１、情報表示用ＬＥＤランプ、およびリモートコントロール用受光素子４を設置するためのスペースが確保できる。
【００１６】従って、引き出し電極Ｘ1〜ＸN部分がこれらの素子と重なっていないため、パイロットランプ３１においては発光した光が散乱されず、前面パネルを通過するされる。またリモートコントロール発信器からの光が引き出し電極Ｘ1〜ＸNによって妨げられることなく、弱められることもなく、前面パネル１の電極引き出し部６を通過してリモートコントロール用受光素子４に到達させることができる。
【００１７】このような構成をとることにより、コンパクトな匡体を設計でき、薄型ディスプレイ装置としてのメリットを活かすことができる。
【００１８】なお、同様に後面パネル２の電極引き出し部７の引き出し電極Ｙ1〜ＹNもピッチを絞ってパネル外辺まで導かれているため、タッチセンサー用電極としてＳ１〜ＳNを設けることが可能になり、ディスプレイ装置としての用途が拡大し、薄型ディスプレイ装置としてのメリットをさらに強調することができる。
【００１９】なお、本実施例では電極引き出し部６、７の電極間ピッチをパネル外側で絞った構成として説明したが、図４に示すように、電極引き出し部６、７の中央部を変形させてスペースを確保することによっても、この部分にＬＥＤランプ３３、３４、３５を設置できることは言うまでもない。」
　
４　「【発明の効果】以上、説明したように、本発明によれば次のような効果を奏することができる。
【００２１】（１）電極引き出し部を用いて光を通過させているのでこの電極引き出し部のスペースを有効利用でき、画面の下部に例えばパイロットランプやリモートコントロール受光器等を別途設置するためのスペースを設ける必要がなくなり、いわゆる額縁部分を小さくでき、コンパクトな匡体の設計が可能となり、薄型ディスプレイ装置としてのメリットを活かすことができる。
【００２２】（２）引き出し電極部を絞ってパネル外辺まで導かれているため、受光素子や発光素子等を設置するためのスペースが確保でき、引き出し電極部分がこれらの素子と重なっていないため、パイロットランプにおいては発光した光が散乱せず、また受光素子においてはリモートコントロール発信器からの光が電極によって弱められることがないという効果がある。
【００２３】（３）引き出し電極部を絞ってパネル外辺まで導き、平板上に生まれたスペースをセンサー用電極としてＳ１〜ＳNを設けることが可能になるので、これを例えば電源スイッチとして用いることにより、匡体のコンパクトさを保つことができ、薄型ディスプレイ装置としてのメリットを活かすことができる。」
　
５　図１及び図２から、ＬＥＤランプ３が前面パネル１の内面側に設けられていることが見てとれる。
　
６　上記１ないし５からみて、引用例には、
「テレビジョン映像を表示する他に、電源状態を示すパイロットランプなどの情報の出力が必要とされる表示装置であって、
　ガラスからなる前面パネル及びガラスからなる後面パネルが貼り合わされ構成された表示パネルと、
　前記前面パネルの内側に設けられた前記パイロットランプとしてのＬＥＤランプとを備えたプラズマディスプレイ表示装置。」の発明（以下「引用発明」という。）が記載されている。
　
第４　対比
　本願発明と引用発明とを対比すると、引用発明の「プラズマディスプレイ画像表示装置」は、本願発明の「プラズマディスプレイ画像表示装置」に相当するから、本願発明と引用発明とは、
「プラズマディスプレイ画像表示装置。」の点で一致し、次の点で相違する。
　
相違点：
　プラズマディスプレイ画像表示装置が、
本願発明においては、
　平板状の透光性を有する前面板と、
　前記前面板の側面から前記前面板内に光を入射するための発光部と、
　前記発光部から発せられる光を反射させて、前記光を前記前面板の他方の面から外部に出射するために、前記前面板の一方の面に形成される光反射部と、
　前記発光部が観察者から見えないようにするために、前記発光部を覆うための覆い部材と、
　前記発光部の前記光が前記光反射部へ向かうための指向性を発揮するための光指向性発揮部材と、
　前記発光部からの前記光が前記光反射部で反射した後に生じる、反射しなかった残りの光のもれを防止する光もれ防止部と、
　を有するのに対して、
引用発明においては、テレビジョン映像を表示する他に、電源状態を示すパイロットランプとしてのＬＥＤランプを備えている点。
　
第５　判断
　上記相違点について検討する。
１　「平板状の透光性を有する前面板と、前記前面板の側面から前記前面板内に光を入射するための発光部と、前記発光部から発せられる光を反射させて、前記光を前記前面板の他方の面から外部に出射するために、前記前面板の一方の面に形成される光反射部と、を有し、光を反射して表示する光反射表示装置」は本願の出願前に周知である（例．特開２００１−３２４９３９号公報（「光反射面を形成する凹凸」が「光反射部」である。）特開２００１−１７５２０６号公報（「Ｖ字溝Ａ」が「光反射部」である。）、特開２００１−７５５１４号公報（「横断面ほぼ山形状の光線反射部」が「光反射部」である。）、実願平４−６０３３５号（実開平６−２５７８１号）のＣＤ−ＲＯＭ（「反射面２２」が「光反射部」である。）、実公平２−３５７２号公報（３頁左欄２３行〜４頁左欄９行、第５図〜第７図参照。「点刻１１を群成せしめることによって形成された反射部１０１〜１０４」が「光反射部」である。）、実公昭６２−３５０７９号公報（「マイクロプリズム６ａ」や「透明な傾斜面６ｅ，６ｆ」などが「光反射部」である。）、特開２００１−２２３００号公報（「反射部（図５（ａ）参照。）」が「光反射部」である。）、特開２０００−２８５７２１号公報（「乱反射面２１，２２」が「光反射部」である。）。以下「周知技術１」という。）。
　
２　周知技術１の「光反射表示装置」において、「発光部が観察者から見えないようにするために、前記発光部を覆うための覆い部材を有する」ようになっているものも周知であり（例．上記特開２００１−３２４９３９号公報（【0037】の「コア板１３が不透明なため外側から…（略）…収納室２０は外側から見えないようになっている。」との記載及び【0048】の「コア板１３が遮光板となって筐体内部の部品あるいはねじ止めボス２６，補強リブ２７及び収納室２０が外部から見えないようにしている」との記載からみて「コア板１３」は「発光部が観察者から見えないようにするために、前記発光部を覆うための覆い部材」であるといえる。）、上記特開２００１−７５５１４号公報（【0014】の「図２に示すように、導光板１側表面１ａに配設する出射光口４の一ヶ所に対応して一形状の反射面５を、該導光板の他側表面１ｂに形成すると共に、該出射光口と該光線反射部
以外の外表面部１ｆに
部分を除いて遮光膜１３が付与され
以外の部分に黒色印刷等の遮光印刷１５ｂを施す
　
３　周知技術１の「光反射表示装置」において、発光部から発せられる光が光反射部へ向かうための指向性を発揮するための部材を有しているものも周知である（例．上記特開２００１−３２４９３９号公報（【0026】ないし【0030】の「この収納室２０の光源とは反対側…（略）…光の導光路２１を形成しているが、場合によっては…（略）…直接的に光源を後述する光反射部２３に当ててスキン板１２に横方向から照射することも可能である。…（略）…収納室２０の上方には…（略）…光反射部２３が設けてあり、この光反射部２３は収納室２０の軸線に対してほぼ４５度の角度をなす光反射面２５が形成されている。…（略）…この光反射面２５はＬＥＤ２４から照射される光の光軸がスキン板１２の凸部の高さの１／２〜２／３程度を通るようにＬＥＤ２４との位置関係が定められている。…（略）…このような構成によって、ＬＥＤ２４から発せられた光はスキン板１２の導光路２１を通って光反射面２５で直角に曲げられ、スキン板１２を横方向から照らしてスキン板１２内を通過する。」との記載及び【0075】の「図９から図１２は、ＬＥＤ２４を導光路２１を直線形状とした例を示す。」からみて、「収納室２０」及び「光反射部２３」は「発光部から発せられる光が光反射部へ向かうための指向性を発揮するための部材」であるといえる。）、上記実公平２−３５７２号公報（３頁右欄５行〜４頁左欄５行の「光源５ａから反射面１４へ向けて出射された光は集光面８1によつて集光せしめられ、そして反射面１４によつて反射部１０1へ向けて反射される。…（略）…この導光体１ａによれば受光面８によつて導光体１ａ内へ受け入れられた光源５ａからの光を集光面８１，８２によつて集光せしめることあるいは集光せしめると共に偏向せしめること、そして平坦面８３，８４によつて屈折せしめることによつて孔９１，９２を避けて各反射部１０１，１０２，１０３，１０４へ導光することができる。そして、各反射部１０１，１０２，１０３，１０４へ導光された光を集光面８１，８２により集光せしめることにより、あるいは平坦面８３，８４によつて屈折せしめることにより
その指向性を適宜に強くすることができ
　
４　周知技術１の「光反射表示装置」において、発光部から発せられる光が光反射部で反射した後に生じる、反射しなかった残りの光のもれを防止するようになっているものも周知である（例．上記特開２００１−７５５１４号公報（【0014】の「図２に示すように、導光板１側表面１ａに配設する出射光口４の一ヶ所に対応して一形状の反射面５を、該導光板の他側表面１ｂに形成すると共に、該出射光口と該光線反射部
以外の外表面部１ｆに
を除き
反射材で被覆する
必要な箇所のみ所望の光を放出する
端面は
反射材としてアルミニウム薄膜で被覆してある
以外は反射性の高いチタン酸バリウム含有のアクリル樹脂で被覆してある
　
５　引用発明の前面パネルの内側に設けられた前記パイロットランプとしての表示手段として、周知技術１の光反射表示装置を採用することは、当業者が容易に想到することができた程度のことである。その際に、周知技術１の光反射表示装置において、上記の構成（ａ）、構成（ｂ）及び構成（ｃ）がいずれも周知であることに照らせば、これら構成を併せて採用することも当業者が適宜なし得た程度のことである。
　
６　そして、本願発明の奏する効果は、引用発明の奏する効果及び各周知技術の奏する効果から予測できた程度のものである。
　
７　したがって、本願発明は、引用例に記載された発明及び周知技術に基づいて、当業者が容易に発明をすることができたものである。
　
第６　むすび
　以上のとおり、本願発明は、引用例に記載された発明及び周知技術に基づいて、当業者が容易に発明をすることができたものであるから、特許法第２９条第２項の規定により特許を受けることができないものである。
　よって、結論のとおり審決する。